Podtech/llm-jp-corpus-v4-ja_patent huggingface dataset:
【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
実質的に平行なレールまたは軌道の第１の組と、実質的な水平な平面内で前記第１の組に対して横切る方向に延びて、複数の格子空間を備える格子パターンを形成する、実質的に平行なレールまたは軌道の第２の組と、
前記格子空間の下方に位置し、スタックに配置された複数の貯蔵コンテナと、
格子上に配置され、レール上でスタックの横方向に移動するように配置された少なくとも一つの荷役取扱装置であって、前記荷役取扱装置は、少なくとも一つのコンテナまたはスタックからそれらの一部を持ち上げるように配置されたリフト装置を備える荷役取扱装置と、
を備え、
少なくとも一つのコンテナは、水および／または栄養素を前記少なくとも一つのコンテナ内に収容された生物に供給する流体供給手段を備える、成長システム。
【請求項２】
前記コンテナの一部または全部は照明手段を備える、請求項１に記載のシステム。
【請求項３】
前記照明手段は、生物の栽培、制御または維持に適した波長または波長範囲の光を放射する発光手段を備える、請求項２に記載のシステム。
【請求項４】
前記生物は栽培作物または研究開発中の生物を含む、請求項１ないし３のいずれか一項に記載のシステム。
【請求項５】
前記コンテナの一部は栽培作物を含む、請求項４に記載のシステム。
【請求項６】
前記コンテナの一部は研究開発中の生物を含む、請求項４に記載のシステム。
【請求項７】
前記コンテナのいくつかまたは全ては電力供給手段を備える、請求項１ないし６のいずれか一項に記載のシステム。
【請求項８】
前記コンテナのいくつかまたは全ては電力制御手段を備える、請求項１ないし７のいずれか一項に記載のシステム。
【請求項９】
前記コンテナのいくつかまたは全てはセンサ手段とセンサ手段の出力を監視するためのデータ記録手段を備える、請求項１ないし８のいずれか一項に記載のシステム。
【請求項１０】
前記コンテナのいくつかまたは全ては、隣接するコンテナまたは中央通信管理部と通信するための通信手段を備える、請求項１ないし９のいずれか一項に記載のシステム。
【請求項１１】
前記コンテナのいくつかまたは全ては、コンテナの内容物を加熱するための加熱手段を備える、請求項１ないし１０のいずれか一項に記載のシステム。
【請求項１２】
前記コンテナのいくつかまたは全ては、コンテナの内容物を冷却するための冷却手段を備える、請求項１ないし１１のいずれか一項に記載のシステム。
【請求項１３】
前記コンテナのいくつかまたは全ては、リザーバを備え、前記リザーバはコンテナにおいて流体シンクとして作用する、請求項１ないし１２のいずれか一項に記載のシステム。
【請求項１４】
前記コンテナのいくつかまたは全ては、照明手段を備え、前記照明手段の時間の長さは制御可能に操作可能であり可変である、請求項１ないし１３のいずれか一項に記載のシステム。
【手続補正２】
【補正対象書類名】明細書
【補正対象項目名】００１０
【補正方法】変更
【補正の内容】
【００１０】
ロボット荷役取扱装置の他の形は、例えば、引用されることによりその内容がここに組み込まれるノルウエー特許第３１７３６６号中にさらに記載されている。図３（ａ）は本発明で用いられる荷役取扱装置の概略的な斜視図であり、そして図３（ｂ）、（ｃ）は荷役取扱装置の内部を示すために切断されている状態の斜視図である。
【手続補正３】
【補正対象書類名】明細書
【補正対象項目名】００２４
【補正方法】変更
【補正の内容】
【００２４】
【図１】図１は、貯蔵システムにおいてコンテナの複数のスタックを格納するためのフレーム構造の概略的な斜視図である。
【図２】図２は、図１のフレーム構造の一部の概略的な平面図である。
【図３ａ】図３（ａ）は、図１および２のフレーム構造とともに使用されるロボット荷役取扱装置の概略的な斜視図である。
【図３ｂ】図３（ｂ）は、図１および２のフレーム構造とともに使用されるロボット荷役取扱装置の内部を示すために切断されている状態の斜視図である。
【図３ｃ】図３（ｃ）は、コンテナを持ち上げる荷役取扱装置の内部を示すために切断されている状態の斜視図である。
【図４】図４は、図１および２のフレーム構造上に設置された、図３（ａ），３（ｂ），そして３（ｃ）中に示されているタイプの複数の荷役取扱装置を、本発明の１つの形態に従ったロボットサービス装置（robotic service device）と共に、備えている、公知の貯蔵システムの概略的な斜視図である。
【図５】図５は、コンテナはマット材料または土壌のような成長手段を備えている、本発明の一形態による貯蔵コンテナの概略的な斜視図である。
【図６ａ】図６ａは、コンテナが少なくとも照明手段を備えている、本発明のある形態による個々の貯蔵コンテナの概略的な斜視図である。
【図６ｂ】図６ｂは、コンテナが少なくとも照明手段を備えている、本発明のある形態による個々の貯蔵コンテナの概略的な斜視図である。
【図６ｃ】図６ｃは、コンテナが少なくとも照明手段を備えている、本発明の他の形態による個々の貯蔵コンテナの概略的な斜視図である。
【図６ｄ】図６ｄは、コンテナが少なくとも照明手段を備えている、本発明の他の形態による個々の貯蔵コンテナの概略的な斜視図である。
【図７ａ】図７ａは、コンテナが液体供給手段を備えている、本発明の別の形態による貯蔵コンテナの概略的な斜視図である。
【図７ｂ】図７ｂは、コンテナが液体供給手段を備えている、本発明の別の形態による貯蔵コンテナの概略的な斜視図である。
【図７ｃ】図７ｃは、コンテナが液体供給手段を備えている、本発明の他の形態による貯蔵コンテナの概略的な斜視図である。
【図７ｄ】図７ｄは、コンテナが液体供給手段を備えている、本発明の他の形態による貯蔵コンテナの概略的な斜視図である。
【図８ａ】図８ａは、本発明の少なくとも１つの形態による成長システムの概略的な斜視図であり、成長システムは、成長システムに格納されたコンテナ内で成長する植物の間引きのためのロボット抜き取り手段（robotic picking means）を備えている。
【図８ｂ】図８ｂは、本発明の少なくとも１つの形態による成長システムの概略的な斜視図であり、成長システムは、成長システムに格納されたコンテナ内で成長する植物の間引きのためのロボット抜き取り手段を備えている。
【図９ａ】図９ａは、成長システム内で使用するためのさらなる形態のコンテナの概略的な斜視図であり、さらなる形態のコンテナは、苗から成熟植物の高さまでのサイズの植物に、成長システムが使用されることを可能にする。
【図９ｂ】図９ｂは、成長システム内で使用するためのさらなる形態のコンテナの概略的な斜視図であり、さらなる形態のコンテナは、苗から成熟植物の高さまでのサイズの植物に、成長システムが使用されることを可能にする。
【図１０】図１０は、貯蔵システムのグリッドの支柱の概略的な斜視図であり、システムは図５、９ａおよび９ｂのコンテナを備えており、支柱１６は次の伝達するコンテナへサービスを運ぶ。
【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
第１の撮影装置により乳房を被写体として前記乳房を固定した状態で撮影することによって得られた第１の医用画像を取得する取得部と、
前記第１の医用画像の撮影後に、前記第１の撮影装置とは撮影原理が異なる第２の撮影装置により前記乳房を被写体として前記乳房の固定を維持した状態で第２の医用画像を撮影させる制御を行う撮影制御部と、
前記第１の医用画像を解析することによって関心領域を検出する解析部であって、前記第２の医用画像の撮影の期間と前記第１の医用画像の解析の期間との少なくとも一部が重複する解析部と、
前記解析部により前記関心領域が検出された場合、前記第２の撮影装置による前記第２の医用画像の撮影後に、前記関心領域を主要被写体とする関心領域画像を、前記第１の撮影装置と同じ撮影原理で、かつ前記第１の医用画像とは異なる撮影条件で撮影させるためか、又は前記第２の撮影装置と同じ撮影原理で、かつ前記第２の医用画像とは異なる撮影条件で撮影させるために、前記関心領域の位置を表す位置情報を出力する出力部と、
を備えた医用画像撮影システム。
【請求項２】
前記撮影制御部は、前記乳房の固定力が、前記第１の医用画像を撮影する際とは異なる状態で前記第２の医用画像を撮影させる制御を行う
請求項１に記載の医用画像撮影システム。
【請求項３】
前記第１の医用画像は、前記乳房に放射線が照射されることによって得られる画像であり、
前記第２の医用画像は、前記乳房に超音波が照射されることによって得られる画像である
請求項１又は請求項２に記載の医用画像撮影システム。
【請求項４】
前記撮影制御部は、前記位置情報に基づいて、前記関心領域画像を撮影させる制御を行う
請求項１から請求項３の何れか１項に記載の医用画像撮影システム。
【請求項５】
前記乳房を圧迫することにより固定する圧迫部材と、
前記第１の医用画像の撮影では、前記圧迫部材による前記乳房を圧迫する力を第１の力とし、前記第２の医用画像の撮影では、前記圧迫部材による前記乳房を圧迫する力を前記第１の力よりも小さい第２の力とする制御を行う圧迫制御部と、
を更に備えた請求項１から請求項４の何れか１項に記載の医用画像撮影システム。
【請求項６】
前記第２の力は、前記第１の力で圧迫した状態から前記第２の力で圧迫した状態に変更した場合における乳房の厚みの変化量が予め定められた変化量以下となる力である
請求項５に記載の医用画像撮影システム。
【請求項７】
前記撮影制御部は、前記第２の医用画像を撮影する際の前記乳房の圧迫力と同じ圧迫力で前記乳房を圧迫させた状態で、複数の異なる角度で前記関心領域に向けて超音波を発生させながら前記関心領域画像を撮影させる制御を行う
請求項４に記載の医用画像撮影システム。
【請求項８】
前記撮影制御部は、前記乳房の圧迫状態を変化させながら前記関心領域画像を撮影させる制御を行う
請求項４に記載の医用画像撮影システム。
【請求項９】
前記圧迫制御部は、前記解析部により前記関心領域が検出されなかった場合、前記乳房の圧迫状態を解除する制御を行う
請求項５に記載の医用画像撮影システム。
【請求項１０】
第１の撮影装置により乳房を被写体として前記乳房を固定した状態で撮影することによって得られた第１の医用画像を取得し、
前記第１の医用画像の撮影後に、前記第１の撮影装置とは撮影原理が異なる第２の撮影装置により前記乳房を被写体として前記乳房の固定を維持した状態で第２の医用画像を撮影させる制御を行い、
前記第１の医用画像を解析することによって関心領域を検出する解析処理であって、前記第２の医用画像の撮影の期間と前記第１の医用画像の解析の期間との少なくとも一部が重複する解析処理を実行し、
前記解析処理により前記関心領域が検出された場合、前記第２の撮影装置による前記第２の医用画像の撮影後に、前記関心領域を主要被写体とする関心領域画像を、前記第１の撮影装置と同じ撮影原理で、かつ前記第１の医用画像とは異なる撮影条件で撮影させるためか、又は前記第２の撮影装置と同じ撮影原理で、かつ前記第２の医用画像とは異なる撮影条件で撮影させるために、前記関心領域の位置を表す位置情報を出力する
処理をコンピュータが実行する医用画像撮影方法。
【請求項１１】
第１の撮影装置により乳房を被写体として前記乳房を固定した状態で撮影することによって得られた第１の医用画像を取得し、
前記第１の医用画像の撮影後に、前記第１の撮影装置とは撮影原理が異なる第２の撮影装置により前記乳房を被写体として前記乳房の固定を維持した状態で第２の医用画像を撮影させる制御を行い、
前記第１の医用画像を解析することによって関心領域を検出する解析処理であって、前記第２の医用画像の撮影の期間と前記第１の医用画像の解析の期間との少なくとも一部が重複する解析処理を実行し、
前記解析処理により前記関心領域が検出された場合、前記第２の撮影装置による前記第２の医用画像の撮影後に、前記関心領域を主要被写体とする関心領域画像を、前記第１の撮影装置と同じ撮影原理で、かつ前記第１の医用画像とは異なる撮影条件で撮影させるためか、又は前記第２の撮影装置と同じ撮影原理で、かつ前記第２の医用画像とは異なる撮影条件で撮影させるために、前記関心領域の位置を表す位置情報を出力する
処理をコンピュータに実行させるための医用画像撮影プログラム。
【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
通信機能を有する情報処理装置と、
ユーザの所定操作に応じて前記ユーザに実世界の提供物を提供する提供機能を有する提供装置であって、前記情報処理装置から通信による制御がなされたことをトリガとして前記提供機能の発揮を開始する提供装置と、
を含む情報処理システムにおいて、
前記ユーザに関する情報を少なくとも含む所定情報を取得する取得手段と、
前記取得手段により取得された前記所定情報に基づいて、前記ユーザが前記所定操作を行うための所定条件を設定する設定手段と、
前記所定条件が満たされたことをトリガとして、前記提供装置と前記通信を行うことで、前記提供装置が前記提供機能の発揮を開始させる制御を実行する提供制御手段と、
を備える情報処理システム。
【請求項２】
前記所定情報に基づいて、前記ユーザが前記所定操作を行うために支払うべき額の決定を行う第１決定手段をさらに備え、
前記設定手段は、前記ユーザによる前記額の支払いの完了を前記所定条件として設定する、
請求項１に記載の情報処理システム。
【請求項３】
前記所定情報に基づいて、前記ユーザに提供される前記提供物の種類の決定を行う第２決定手段をさらに備える、
請求項１又は２に記載の情報処理システム。
【請求項４】
前記所定情報に基づいて、前記ユーザに供与される所定のインセンティブの決定を行う第３決定手段をさらに備える、
請求項１乃至３のうちいずれか１項に記載の情報処理システム。
【請求項５】
広告に関する情報のうち少なくとも一部を所定タイミングで提示する制御を実行する提示制御手段をさらに備える、
請求項１乃至４のうちいずれか１項に記載の情報処理システム。
【請求項６】
前記所定操作が行われたことをトリガとして、前記所定情報に含まれる所定要素に応じた所定の演出を開始する制御を実行する演出制御手段をさらに備える、
請求項１乃至５のうちいずれか１項に記載の情報処理システム。
【請求項７】
前記所定情報は、前記ユーザのコンテクスト情報を含む、
請求項１乃至６のうち何れか１項に記載の情報処理システム。
【請求項８】
前記所定情報は、前記ユーザの表情を示す情報を含む、
請求項７に記載の情報処理システム。
【手続補正書】
【提出日】令和3年2月17日(2021.2.17)
【手続補正１】
【補正対象書類名】明細書
【補正対象項目名】００３３
【補正方法】変更
【補正の内容】
【００３３】
前側外装体の前後方向の中心よりもウエスト開口側の領域及び後側外装体の前後方向の中心よりもウエスト開口側の領域は、地面から離れて配置され、例えば、水遊び用のおむつにあっては、水がかかり難い。よって、地面からの粉塵や水などによって、害虫忌避成分が劣化することを抑制し、害虫忌避成分を持続して発揮し易い。また、着用時に吸収性物品のウエスト開口部と着用対象の間に隙間が生じている場合であっても、飛散害虫がウエスト開口部を介して吸収性物品と着用対象の間に入り込むことを抑制できる。
【手続補正２】
【補正対象書類名】明細書
【補正対象項目名】００７３
【補正方法】変更
【補正の内容】
【００７３】
図２に示すように、忌避領域Ｒ１０は、前側外装体５１の前後方向の中心５１ＣＬよりも前側の領域と、後側外装体５２の前後方向の中心５２ＣＬよりも後側の領域と、に少なくとも設けられてよい。前側外装体５１の前後方向Ｌの中心５１ＣＬよりも前側の領域と、後側外装体５２の前後方向の中心５２ＣＬよりも後側の領域は、地面から離れて配置され、例えば、水遊び用のおむつにあっては、水がかかり難い。よって、地面からの粉塵や水などによって、害虫忌避成分が劣化することを抑制し、害虫忌避成分を持続して発揮し易い。また、着用時に吸収性物品１のウエスト開口部６２と着用対象の間に隙間が生じている場合であっても、飛散害虫がウエスト開口部６２を介して吸収性物品１と着用対象の間に入り込むことを抑制できる。
【手続補正３】
【補正対象書類名】明細書
【補正対象項目名】００９０
【補正方法】変更
【補正の内容】
【００９０】
吸収性物品１Ｎは、ペットの尻尾を挿入可能な尻尾穴部６０が設けられてよい。尻尾穴部６０を有するおむつにあっては、装着時の本体部２Ｎの交差方向Ｚの他端部によってペットの臀部及び背中を覆う際に、尻尾穴部６０にペットの尻尾を挿通させてよい。忌避領域Ｒ１０は、尻尾穴部６０を囲む穴部領域に設けられてよい。穴部領域は、尻尾穴部６０を平面視にて囲む領域であってよい。穴部領域の範囲は、尻尾穴部６０の平面視の最大寸法を基準として、尻尾穴部６０から当該最大寸法までの範囲内であってよい。または、尻尾穴部６０から２０ｍｍまでの範囲内であってもよい。穴部領域に忌避領域Ｒ１０を設けることにより、尻尾穴部６０と着用対象の間に隙間があった場合であっても、尻尾穴部６０から着用対象側への害虫の侵入を防ぐことができる。特に、尻尾の形状及び太さは、ペットによって個体差があり、尻尾穴部６０がペットの尻尾が密着しないことがある。尻尾穴部６０がペットの尻尾に密着しない場合であっても、尻尾穴部６０から着用対象側への害虫の侵入を防ぐことができる。
【手続補正４】
【補正対象書類名】図面
【補正対象項目名】図２
【補正方法】変更
【補正の内容】
【図２】
2021000278.tif 000001
【手続補正書】
【提出日】令和3年8月26日(2021.8.26)
【手続補正１】
【補正対象書類名】特許請求の範囲
【補正対象項目名】全文
【補正方法】変更
【補正の内容】
【特許請求の範囲】
【請求項１】
前後方向、前記前後方向に直交する幅方向、及び厚さ方向と、
前側域と、後側域と、前記前側域及び前記後側域とに前記前後方向で挟まれている股下域と、
少なくとも前記股下域に配置されている吸収体と、を有し、
前記吸収体には、前記厚さ方向に圧搾された圧搾部が設けられている吸収性物品であって、
前記圧搾部は、
前記吸収体の平面視において格子状のパターンを有する第１圧搾部と、
前記吸収体の平面視において前記格子状のパターンと異なるパターンを有する第２圧搾部と、を有する、吸収性物品。
【請求項２】
前記吸収体の平面視において、単位面積当たりの前記第２圧搾部が占める面積は、単位面積当たりの前記第１圧搾部が占める面積よりも大きい請求項１に記載の吸収性物品。
【請求項３】
前記第２圧搾部は、前記股下域に設けられている請求項２に記載の吸収性物品。
【請求項４】
前記股下域は、前記吸収性物品の前記前後方向の中心よりも後側に位置する後側股下域を有し、
前記第２圧搾部は、前記後側股下域に設けられている請求項３に記載の吸収性物品。
【請求項５】
前記吸収体の平面視において、前記第２圧搾部は、前記第１圧搾部と離れた位置に設けられている請求項１から４のいずれか１項に記載の吸収性物品。
【請求項６】
前記吸収体の平面視において、前記第１圧搾部と前記第２圧搾部との前記前後方向における離間距離は、前記第１圧搾部により構成される１つの格子の前記前後方向における長さよりも長い請求項５に記載の吸収性物品。
【請求項７】
前記第１圧搾部は、
前記吸収性物品の前記前後方向の中心よりも前側に設けられている前格子圧搾部と、
前記前後方向の中心よりも後側に設けられている後格子圧搾部と、を有し、
前記吸収体の平面視において、単位面積当たりの前記後格子圧搾部が占める面積は、単位面積当たりの前記前格子圧搾部が占める面積よりも大きい請求項１から６のいずれか１項に記載の吸収性物品。
【請求項８】
前記圧搾部は、前記吸収体の平面視において前記格子状のパターンと異なるパターンを有する第３圧搾部をさらに有し、
前記第３圧搾部は、前記第２圧搾部よりも前側に設けられている請求項１から７のいずれか１項に記載の吸収性物品。
【請求項９】
前記第３圧搾部は、前記第１圧搾部よりも前側に設けられており、
前記吸収体の平面視において、単位面積当たりの前記第３圧搾部が占める面積は、単位面積当たりの前記第１圧搾部が占める面積よりも大きい請求項８に記載の吸収性物品。
【請求項１０】
前記吸収体は、液体を吸収する吸収材料を含む吸収コアを有し、
前記吸収コアは、前記吸収体の平面視において、前記吸収コアの前記幅方向における両側端縁が前記幅方向の内側に向かって括れた括れ部を前記股下域に有しており、
前記第３圧搾部は、前記括れ部よりも前側に設けられている請求項８又は９に記載の吸収性物品。
【請求項１１】
少なくとも前記前側域に設けられる外装体を有し、
前記第３圧搾部は、前記外装体と前記厚さ方向に重なっている請求項８から１０のいずれか１項に記載の吸収性物品。
【請求項１２】
前記第３圧搾部は、前記吸収性物品の前記幅方向の中心を跨がっており、かつ前記吸収体の平面視において後側に向かって凸形状となるように前記幅方向に延びている請求項８から１１のいずれか１項に記載の吸収性物品。
【請求項１３】
前記第１圧搾部は、前記格子状のパターンを有するように間欠的に設けられている複数の圧搾部により構成されている請求項１から１２のいずれか１項に記載の吸収性物品。
【請求項１４】
吸収性物品に係る吸収体の製造方法であって、
少なくとも吸収コアを厚さ方向に圧搾することにより圧搾部を設ける圧搾工程を有し、
前記圧搾工程では、前記圧搾部として、前記吸収コアの平面視において格子状のパターンを有する第１圧搾部と、前記吸収コアの平面視において前記格子状のパターンと異なるパターンを有する第２圧搾部と、を設ける、吸収体の製造方法。
【請求項１５】
前記圧搾工程では、コアラップを構成するコアラップシートで前記吸収コアを覆う工程を有し、
前記圧搾工程では、前記吸収コアと前記コアラップシートとを圧搾することにより前記圧搾部を設ける請求項１４に記載の吸収体の製造方法。
【請求項１６】
前記圧搾工程では、
一対の第１ロールの少なくとも一方の外周面に設けられた第１凸部によって前記吸収コアと前記コアラップシートとを圧搾することにより前記第１圧搾部を設ける工程と、
一対の第２ロールの少なくとも一方の外周面に設けられた第２凸部によって前記吸収コアと前記コアラップシートとを圧搾することにより前記第２圧搾部を設ける工程と、を有する請求項１５に記載の吸収体の製造方法。
【請求項１７】
前記圧搾工程では、前記第１圧搾部と前記第２圧搾部とのうち一方の圧搾部が設けられた圧搾領域において他方の圧搾部を設ける場合、搬送方向において前記圧搾領域の一部の領域のみで前記吸収コアと前記コアラップシートとを圧搾する、請求項１６に記載の吸収体の製造方法。
【請求項１８】
前記圧搾工程は、
前記第１圧搾部と前記第２圧搾部とのうち前記厚さ方向に深く圧搾される一方の圧搾部を設ける工程と、
前記一方の圧搾部が設けられた後に、前記第１圧搾部と前記第２圧搾部とのうち他方の圧搾部を設ける工程と、を有する、請求項１６又は１７に記載の吸収体の製造方法。
【請求項１９】
吸収性物品に係る吸収体の製造装置であって、
少なくとも吸収コアを複数の凸部によって圧搾することにより圧搾部を設ける圧搾装置を有し、
前記複数の凸部は、
前記吸収コアの平面視において格子状のパターンを有する第１圧搾部を設ける第１凸部と、
前記吸収コアの平面視において前記格子状のパターンと異なるパターンを有する第２圧搾部を設ける第２凸部と、を有する、吸収体の製造装置。
【手続補正書】
【提出日】令和3年9月14日(2021.9.14)
【手続補正１】
【補正対象書類名】特許請求の範囲
【補正対象項目名】全文
【補正方法】変更
【補正の内容】
【特許請求の範囲】
【請求項１】
前後方向、前記前後方向に直交する幅方向、及び厚さ方向と、
第１胴回り域と、第２胴回り域と、前記第１胴回り域及び前記第２胴回り域とに前記前後方向で挟まれている股下域と、
吸収コアと、
前記吸収コアを有する吸収性本体と、
前記吸収性本体の両側部において前記前後方向に延びる一対の防漏カフと、
前記第１胴回り域の外側部と、前記第２胴回り域の外側部と、を互いに接合したサイド接合部と、を有し、
前記防漏カフは、
少なくとも前記股下域において前記前後方向に伸縮性を有する第１弾性部材の収縮によって起立可能である起立部と、
前記起立部の起立支点となる起立端縁と、
前記第１胴回り域と前記第２胴回り域とにおいて前記起立部よりも前記前後方向の外側に配置されており、かつ前記吸収性本体の肌面側に接合されて形成される前後接合部と、を有し、
前記起立端縁は、前記股下域において少なくとも前記吸収コアよりも前記幅方向の外側に配置されており、
吸収性物品の平面視において、少なくとも前記前後接合部の一方は、前記吸収コアと重ならない位置に配置されている吸収性物品であって、
前記股下域において、前記起立端縁よりも前記幅方向の外側に配置されている第２弾性部材の収縮によって前記前後方向に収縮する収縮部を有する、吸収性物品。
【請求項２】
前記前後接合部の少なくとも一部は、前記第１胴回り域において、前記吸収コアと重ならない位置に配置されており、
前記第１胴回り域において、前記幅方向に伸縮性を有するウエスト弾性部材を有し、
前記吸収性物品の平面視において、前記前後接合部の少なくとも一部が前記ウエスト弾性部材と重なっている請求項１に記載の吸収性物品。
【請求項３】
前記ウエスト弾性部材は、前記第１胴回り域において、少なくとも前記一対の防漏カフの一方から他方まで連続的に延びている請求項２に記載の吸収性物品。
【請求項４】
前記前後接合部の少なくとも一部は、前記第１胴回り域において、前記吸収コアと重ならない位置に配置されており、
前記第１胴回り域において、前記幅方向に伸縮性を有するウエスト弾性部材を有し、
前記吸収性物品の平面視において、前記ウエスト弾性部材は、前記前後接合部と重ならない位置に配置されている請求項１に記載の吸収性物品。
【請求項５】
前記前後接合部の少なくとも一部は、前記第１胴回り域において、前記吸収コアと重ならない位置に配置されており、
前記第１胴回り域において、前記吸収性本体よりも非肌面側に配置された外装体を有し、
前記外装体は、前記幅方向に伸縮性を有するウエスト弾性部材を有し、
前記吸収性本体と前記外装体とが接合されていない非接合領域が設けられており、
前記吸収性物品の平面視において、前記前後接合部は、前記非接合領域に配置されている請求項１から４のいずれか１項に記載の吸収性物品。
【請求項６】
前記第２弾性部材は、伸縮性が発現される有効部分を有し、
前記前後方向において、前記有効部分の前記前後方向の外端縁は、前記前後接合部よりも内側に配置されている請求項１から５のいずれか１項に記載の吸収性物品。
【請求項７】
前記前後接合部の少なくとも一部は、前記第１胴回り域において、前記吸収コアと重ならない位置に配置されており、
前記第１胴回り域において、前記幅方向に伸縮性を有するウエスト弾性部材を有し、
前記吸収性物品の平面視において、前記起立部の前記前後方向の外端部は、前記第１胴回り域と重なっている請求項１から６のいずれか１項に記載の吸収性物品。
【請求項８】
前記ウエスト弾性部材は、前記第１胴回り域において前記前後接合部と前記吸収コアの間に配置された第１ウエスト弾性部材を有する、請求項７に記載の吸収性物品。
【請求項９】
前記第２弾性部材は、レッグ弾性部材であり、
前記レッグ弾性部材は、前記第１胴回り域と前記第２胴回り域のうち、前記吸収コアと重ならない位置に配置された前記前後接合部が配置された胴回り域に、配置されている、請求項１から８のいずれか１項に記載の吸収性物品。
【請求項１０】
前記前後接合部は、前記第１胴回り域と前記第２胴回り域の一方に配置された第１前後接合部と、前記第１胴回り域と前記第２胴回り域の他方に配置された第２前後接合部と、を有し、
前記第１前後接合部は、前記吸収コアよりも前記前後方向の外側に配置され、
前記第１前後接合部は、前記吸収コアよりも前記幅方向の外側に配置されている、請求項１から９のいずれか１項に記載の吸収性物品。
【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
プレイヤの手に持たれ、ゲーム操作に用いられる操作部と、
前記ゲーム操作を受け付けるゲーム操作受付部と、
ゲームのプレイに用いられるメダルが投入されるメダル投入口と、
前記メダル投入口まで前記メダルを誘導可能な誘導部と、を備え、
前記誘導部は、前記プレイヤが前記操作部の一部分を用いて前記メダルを移動させることで前記メダル投入口まで前記メダルを誘導可能な構造を有している、
ゲーム装置。
【請求項２】
前記誘導部は、立った状態の前記メダルを、前記メダルの厚さ方向に誘導可能な溝構造を有しており、
前記メダル投入口は、前記溝構造の端部に設けられており、
前記操作部の一部分は、前記溝構造に対応する形状を有している、
請求項１に記載のゲーム装置。
【請求項３】
前記溝構造は、断面視で略半円形状を有しており、
前記溝構造の内面の曲率半径は、前記メダルの半径よりも大きい、
請求項２に記載のゲーム装置。
【請求項４】
前記溝構造の隣に配置され、凹みを有することで前記メダルを収容可能なメダル収容部をさらに備え、
前記凹みにおける、前記溝構造側の内側面は、前記溝構造に向かうに従い上方に漸次傾斜している、
請求項２または３に記載のゲーム装置。
【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
周囲空気圧に関して陽圧の空気の流れを、少なくとも患者の鼻孔を含む患者の気道への入口へ、シールして送達するための患者インタフェースであって、前記患者インタフェースは、睡眠障害呼吸を改善するために、患者の睡眠中に、患者の呼吸サイクルを通して、使用中は周囲空気圧より約４ｃｍＨ２Ｏから約３０ｃｍＨ２Ｏの範囲で治療圧力を維持するように構成されており、
前記患者インタフェースは；
周囲空気圧を超える治療圧まで加圧可能な呼吸チャンバーを少なくとも部分的に形成するプレナムチャンバーであって、患者による呼吸のために前記治療圧の空気の流れを受け入れるよう寸法付けられかつ構成されたプレナムチャンバー入口を含む、プレナムチャンバーと、
患者の顔のうち患者の気道への入口を囲む領域とともにシールを形成するように構成されかつ配置されたシール形成構造であって、前記治療圧の空気の流れが少なくとも患者の鼻孔の入口へ送達されるように前記シール形成構造に形成される開口を有する、シール形成構造と；
を備えており、
前記プレナムチャンバーは、織物外層と、織物内層と、前記織物外層と前記織物内層との間に配置される発泡体内層と、を備えており、前記織物外層および前記織物内層はそれぞれ前記発泡体内層の反対側の面に結び付けられていることを特徴とする患者インタフェース。
【請求項２】
前記織物外層および前記織物内層は、熱成形、溶接および／または積層によって前記発泡体内層に結び付けられていることを特徴とする請求項１に記載の患者インタフェース。
【請求項３】
前記発泡体内層の厚さは前記プレナムチャンバーにわたって変動することを特徴とする請求項１または２に記載の患者インタフェース。
【請求項４】
前記プレナムチャンバーの横方向断面視において、前記発泡体内層は、前記プレナムチャンバーの中央部分において相対的に大きな厚さを有しており、かつ前記プレナムチャンバーの側方端部分において相対的に小さな厚さを有することを特徴とする請求項１から請求項３のいずれか一項に記載の患者インタフェース。
【請求項５】
前記発泡体内層は、前記プレナムチャンバー全体にわたって均等な厚さを有することを特徴とする請求項１または２に記載の患者インタフェース。
【請求項６】
前記発泡体内層は、断面において長方形の形状を有することを特徴とする請求項１、２および５のいずれか一項に記載の患者インタフェース。
【請求項７】
前記織物外層および前記織物内層はともに、前記発泡体内層を完全に囲んでいることを特徴とする請求項１から６のいずれか一項に記載の患者インタフェース。
【請求項８】
前記プレナムチャンバーは、空気供給回路との接続のために、前記プレナムチャンバー入口の周りに形成される接続ポートを有することを特徴とする請求項１から７のいずれか一項に記載の患者インタフェース。
【請求項９】
前記接続ポートはオーバーモールドによって形成されており、前記オーバーモールドは、前記織物外層と前記織物内層との間の接合部にシーリング機能を提供することを特徴とする請求項８に記載の患者インタフェース。
【請求項１０】
前記シール形成構造は、患者の顔の所定の領域とともに前記シールを形成するよう構成された織物メンブレンを含むことを特徴とする請求項１から９のいずれか一項に記載の患者インタフェース。
【請求項１１】
前記織物メンブレンは、前記織物メンブレン上に設けられる空気不透過性材料を含むことを特徴とする請求項１０に記載の患者インタフェース。
【請求項１２】
前記織物メンブレンは、前記呼吸チャンバーの加圧時に膨らむように構成されていることを特徴とする請求項１０または１１に記載の患者インタフェース。
【請求項１３】
前記シール形成構造は、発泡体アンダークッション層を含むことを特徴とする請求項１から１２のいずれか一項に記載の患者インタフェース。
【請求項１４】
患者の顔とシーリング接触するように前記シール形成構造を維持するために、位置決めと安定化構造をさらに備えることを特徴とする請求項１から１３のいずれか一項に記載の患者インタフェース。
【請求項１５】
前記位置決めと安定化構造は、使用時に患者の顔の両側に沿って延在するよう構成された一対のサイドストラップを含むことを特徴とする請求項１４に記載の患者インタフェース。
【請求項１６】
前記サイドストラップは、前記プレナムチャンバーと一体的に形成されていることを特徴とする請求項１５に記載の患者インタフェース。
【請求項１７】
前記シール形成構造は、患者の鼻の下面とともにシールを形成するように構成されかつ配置されていることを特徴とする請求項１から１６のいずれか一項に記載の患者インタフェース。
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
遊技媒体の通過を検出する検出手段と、乱数情報を発生させる乱数情報発生手段と、前記検出手段により遊技媒体の通過が検出されたことに基づいて前記乱数情報発生手段により発生された乱数情報を取得する乱数情報取得手段と、その乱数情報取得手段により取得された乱数情報に基づいて判定を行う判定手段と、その判定手段の判定結果に基づいて表示手段に変動表示開始から変動表示終了までの変動表示を実行させる変動表示制御手段と、を備え、前記変動表示終了の際に予め決められた停止表示が行われた場合に、遊技者に有利な特別遊技状態を発生可能な遊技機において、
前記検出手段は、第１検出手段と第２検出手段とを含み、
その第２検出手段への遊技媒体の通過の難易を変化させるように動作される可変手段を備え、
その可変手段は、遊技状態が第１状態にある場合よりも第２状態にある場合に、前記第２検出手段へ遊技媒体が通過し易くなるように動作されるものであり、
前記変動表示制御手段は、前記第１検出手段により遊技媒体の通過が検出されたことに基づく第１の変動表示と、前記第２検出手段により遊技媒体の通過が検出されたことに基づく第２の変動表示とを同時に実行することなく前記表示手段に変動表示を実行させるものであり、
前記遊技機は、
前記判定手段による判定が行われる前に、前記乱数情報取得手段により取得された乱数情報に基づいて判定を行う先読判定手段と、
その先読判定手段による判定において所定の判定結果が得られたことに基づいて、その先読判定手段による判定対象とされた乱数情報に対して前記判定手段による判定結果に基づいた前記変動表示が開始される前に、前記所定の判定結果に基づく報知を行う手段と、を備え、
前記先読判定手段は、
前記乱数情報取得手段により取得された乱数情報に基づいて前記遊技者に有利な特別遊技状態が発生し得るか否かを判定する特別遊技状態先読判定手段と、
前記乱数情報取得手段により取得された乱数情報に基づいて前記遊技者に有利な特別遊技状態後に生じ得る遊技状態の種別を判定する種別先読判定手段と、を含むことにより前記所定の判定結果を得ることが可能であり、
前記報知を行う手段は、
前記特別遊技状態先読判定手段により判定された前記遊技者に有利な特別遊技状態が発生し得るか否かの判定結果を使用すること、および、前記種別先読判定手段により判定された前記遊技者に有利な特別遊技状態後に生じ得る遊技状態の種別の判定結果を使用することによる報知を実行可能であり、
遊技状態が前記第１状態にある場合に、前記第１検出手段により遊技媒体の通過が検出されたことに基づき前記乱数情報取得手段により取得された乱数情報に基づいて、前記先読判定手段にて所定の判定結果が得られたことに基づき、前記報知を行うが、前記第２検出手段による遊技媒体の通過の検出に基づき前記乱数情報取得手段により取得された乱数情報に基づいては前記報知を行わない手段と、
遊技状態が前記第２状態にある場合に、前記第２検出手段により遊技媒体の通過が検出されたことに基づき前記乱数情報取得手段により取得された乱数情報に基づいて、前記先読判定手段にて所定の判定結果が得られたことに基づき、前記報知を行うが、前記第１検出手段による遊技媒体の通過の検出に基づき前記乱数情報取得手段により取得された乱数情報に基づいては前記報知を行わない手段と、
前記第１検出手段により遊技媒体の通過が検出されたことに基づく前記報知を、前記第１の変動表示では行うが、前記第２の変動表示では行わない手段と、を備えていることを特徴とする遊技機。
【手続補正２】
【補正対象書類名】明細書
【補正対象項目名】００１２
【補正方法】変更
【補正の内容】
【００１２】
この目的を達成するために請求項１記載の遊技機は、遊技媒体の通過を検出する検出手段と、乱数情報を発生させる乱数情報発生手段と、前記検出手段により遊技媒体の通過が検出されたことに基づいて前記乱数情報発生手段により発生された乱数情報を取得する乱数情報取得手段と、その乱数情報取得手段により取得された乱数情報に基づいて判定を行う判定手段と、その判定手段の判定結果に基づいて表示手段に変動表示開始から変動表示終了までの変動表示を実行させる変動表示制御手段と、を備え、前記変動表示終了の際に予め決められた停止表示が行われた場合に、遊技者に有利な特別遊技状態を発生可能なものであり、前記検出手段は、第１検出手段と第２検出手段とを含み、その第２検出手段への遊技媒体の通過の難易を変化させるように動作される可変手段を備え、その可変手段は、遊技状態が第１状態にある場合よりも第２状態にある場合に、前記第２検出手段へ遊技媒体が通過し易くなるように動作されるものであり、前記変動表示制御手段は、前記第１検出手段により遊技媒体の通過が検出されたことに基づく第１の変動表示と、前記第２検出手段により遊技媒体の通過が検出されたことに基づく第２の変動表示とを同時に実行することなく前記表示手段に変動表示を実行させるものであり、前記遊技機は、前記判定手段による判定が行われる前に、前記乱数情報取得手段により取得された乱数情報に基づいて判定を行う先読判定手段と、その先読判定手段による判定において所定の判定結果が得られたことに基づいて、その先読判定手段による判定対象とされた乱数情報に対して前記判定手段による判定結果に基づいた前記変動表示が開始される前に、前記所定の判定結果に基づく報知を行う手段と、を備え、前記先読判定手段は、前記乱数情報取得手段により取得された乱数情報に基づいて前記遊技者に有利な特別遊技状態が発生し得るか否かを判定する特別遊技状態先読判定手段と、前記乱数情報取得手段により取得された乱数情報に基づいて前記遊技者に有利な特別遊技状態後に生じ得る遊技状態の種別を判定する種別先読判定手段と、を含むことにより前記所定の判定結果を得ることが可能であり、前記報知を行う手段は、前記特別遊技状態先読判定手段により判定された前記遊技者に有利な特別遊技状態が発生し得るか否かの判定結果を使用すること、および、前記種別先読判定手段により判定された前記遊技者に有利な特別遊技状態後に生じ得る遊技状態の種別の判定結果を使用することによる報知を実行可能であり、遊技状態が前記第１状態にある場合に、前記第１検出手段により遊技媒体の通過が検出されたことに基づき前記乱数情報取得手段により取得された乱数情報に基づいて、前記先読判定手段にて所定の判定結果が得られたことに基づき、前記報知を行うが、前記第２検出手段による遊技媒体の通過の検出に基づき前記乱数情報取得手段により取得された乱数情報に基づいては前記報知を行わない手段と、遊技状態が前記第２状態にある場合に、前記第２検出手段により遊技媒体の通過が検出されたことに基づき前記乱数情報取得手段により取得された乱数情報に基づいて、前記先読判定手段にて所定の判定結果が得られたことに基づき、前記報知を行うが、前記第１検出手段による遊技媒体の通過の検出に基づき前記乱数情報取得手段により取得された乱数情報に基づいては前記報知を行わない手段と、前記第１検出手段により遊技媒体の通過が検出されたことに基づく前記報知を、前記第１の変動表示では行うが、前記第２の変動表示では行わない手段と、を備えている。
【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
識別情報を表示可能な表示手段と、遊技の制御を行う主制御手段と、始動条件が成立した場合に前記主制御手段から送信される制御用コマンドに基づいて前記表示手段に識別情報の変動表示を表示させる表示用制御手段を備えた遊技機において、
前記表示用制御手段は、前記表示手段に表示させる前記変動表示の変動態様を前記制御用コマンドに基づいて設定する変動態様設定手段を備え、
前記変動態様設定手段は、第１コマンド及び第２コマンドを少なくとも含む複数の前記制御用コマンドに基づいて、前記変動態様を設定する第１変動態様設定手段を含んで構成され、
前記第１変動態様設定手段は、前記第１コマンド及び前記第２コマンドに基づいて、前記変動態様を選定するための変動時間である選定用変動時間を決定する選定用変動時間決定手段を備え、
前記第２コマンドは、前記選定用変動時間決定手段による前記選定用変動時間の決定とは別の用途でも使用されるコマンドであって、前記変動表示の開始を保留する保留数の情報が含まれるコマンドであり、
前記第２コマンドは、所定の前記保留数の情報を含む第１保留数コマンドと、その第１保留数コマンドよりも多い前記保留数の情報を含む第２保留数コマンドと、を備え、
前記選定用変動時間決定手段は、種類が異なる前記第１コマンドに対し、前記第１保留数コマンド又は前記第２保留数コマンドを適用した場合に、前記変動時間の基準時間からの差分が異なる前記選定用変動時間を決定可能であり、且つ、前記第１コマンドに対し、前記第１保留数コマンドを適用した場合よりも前記第２保留数コマンドを適用した場合の方が短い前記選定用変動時間を決定可能であることを特徴とする遊技機。
【手続補正２】
【補正対象書類名】明細書
【補正対象項目名】０００６
【補正方法】変更
【補正の内容】
【０００６】
この目的を達成するために、請求項１記載の遊技機は、識別情報を表示可能な表示手段と、遊技の制御を行う主制御手段と、始動条件が成立した場合に前記主制御手段から送信される制御用コマンドに基づいて前記表示手段に識別情報の変動表示を表示させる表示用制御手段を備えたものであって、前記表示用制御手段は、前記表示手段に表示させる前記変動表示の変動態様を前記制御用コマンドに基づいて設定する変動態様設定手段を備え、前記変動態様設定手段は、第１コマンド及び第２コマンドを少なくとも含む複数の前記制御用コマンドに基づいて、前記変動態様を設定する第１変動態様設定手段を含んで構成され、前記第１変動態様設定手段は、前記第１コマンド及び前記第２コマンドに基づいて、前記変動態様を選定するための変動時間である選定用変動時間を決定する選定用変動時間決定手段を備え、前記第２コマンドは、前記選定用変動時間決定手段による前記選定用変動時間の決定とは別の用途でも使用されるコマンドであって、前記変動表示の開始を保留する保留数の情報が含まれるコマンドであり、前記第２コマンドは、所定の前記保留数の情報を含む第１保留数コマンドと、その第１保留数コマンドよりも多い前記保留数の情報を含む第２保留数コマンドと、を備え、前記選定用変動時間決定手段は、種類が異なる前記第１コマンドに対し、前記第１保留数コマンド又は前記第２保留数コマンドを適用した場合に、前記変動時間の基準時間からの差分が異なる前記選定用変動時間を決定可能であり、且つ、前記第１コマンドに対し、前記第１保留数コマンドを適用した場合よりも前記第２保留数コマンドを適用した場合の方が短い前記選定用変動時間を決定可能である。
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
筐体と、
室内の壁面に前記筐体を取り付けるための取付部と、
紫外線を前記取付部を取り付ける壁面以外の少なくとも一つの壁面に対し照射する光源とを備える紫外線殺菌装置を、
第１の前記壁面と、当該第１の壁面に対向する第２の前記壁面とにそれぞれ取り付けた、室内殺菌システムであって、
以下の（１）又は（２）のいずれかの配置とすることを特徴とする室内殺菌システム。
（１）前記第１の壁面に取り付けた紫外線殺菌装置により照射された紫外線が不足する前記室内の領域に、前記第２の壁面に取り付けた紫外線殺菌装置により紫外線を照射する配置とすること
（２）前記第１の壁面に取り付けた紫外線殺菌装置により照射された紫外線の照射領域と、前記第２の壁面に取り付けた紫外線殺菌装置により照射された紫外線の照射領域とを積層する配置とすること
【請求項２】
前記紫外線殺菌装置は、さらに空気を送るファンを備え、
前記ファンは、前記室内又は前記筐体の内部に空気を送る、請求項１記載の室内殺菌システム。
【請求項３】
前記ファンは、前記室内又は前記筐体の内部に空気対流を形成する方向に空気を送る、
請求項２に記載の室内殺菌システム。
【請求項４】
前記ファンは、前記筐体から前記室内に空気を送出する、請求項２又は３のいずれか記載の室内殺菌システム。
【手続補正２】
【補正対象書類名】明細書
【補正対象項目名】００２３
【補正方法】変更
【補正の内容】
【００２３】
かかる課題を解決すべく、第１の発明の室内殺菌システムは、筐体と、室内の壁面に前記筐体を取り付けるための取付部と、紫外線を前記取付部を取り付ける壁面以外の少なくとも一つの壁面に対し照射する光源とを備える紫外線殺菌装置を、第１の前記壁面と、当該第１の壁面に対向する第２の前記壁面とにそれぞれ取り付けた、室内殺菌システムであって、以下の（１）又は（２）のいずれかの配置とすることを特徴とする。
（１）前記第１の壁面に取り付けた紫外線殺菌装置により照射された紫外線が不足する前記室内の領域に、前記第２の壁面に取り付けた紫外線殺菌装置により紫外線を照射する配置とすること
（２）前記第１の壁面に取り付けた紫外線殺菌装置により照射された紫外線と、前記第２の壁面に取り付けた紫外線殺菌装置により照射された紫外線とを積層する配置すること
【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
ゲームプログラムであって、
前記ゲームプログラムは、プロセッサおよびメモリを備えるコンピュータにより実行されるものであり、
前記ゲームプログラムは、前記プロセッサに、
ユーザがゲームを実行するためのデータのダウンロードに要する時間の実測値および見込値の少なくとも一方を取得するステップと、
前記取得するステップにおいて取得した値に応じてユーザに付与する報酬を決定するステップと、
前記ゲームをプレイする方法を案内し、かつ、前記ゲームのプレイにおいて利用可能な第２のオブジェクトのうちのいずれかを選択して前記ユーザに付与することを含む、チュートリアルモードを実行するステップと、を実行させ、
前記決定するステップにおいて、前記取得するステップで取得する値が大きいほど、前記チュートリアルモードにおける第２のオブジェクトの選択で前記ユーザが有利になるように前記報酬を決定する、ゲームプログラム。
【請求項２】
前記ゲームプログラムは、前記プロセッサに、
前記決定するステップにおいて決定した報酬を前記データのダウンロード中に表示部に表示させるステップをさらに実行させる、請求項１に記載のゲームプログラム。
【請求項３】
前記決定するステップにおいて、前記取得するステップで取得した値が大きいほど、前記ユーザにとってより有利な前記報酬を決定する、請求項１または２に記載のゲームプログラム。
【請求項４】
前記決定するステップにおいて、前記取得するステップで取得した値が閾値を超えている場合に前記報酬を決定し、
前記ゲームプログラムは、前記プロセッサに、
前記取得するステップで取得した値が、複数設定されている閾値であって、当該取得した値より大きい閾値のうち、の少なくとも一部の閾値を超えたときに決定する可能性がある前記報酬を、前記データのダウンロード中に表示部に表示させるステップをさらに実行させる、
請求項１〜３のいずれか一項に記載のゲームプログラム。
【請求項５】
前記取得するステップは、前記ユーザが初めてゲームをプレイする前に行われる前記データのダウンロードのときに実行するステップである、請求項１〜４のいずれか一項に記載のゲームプログラム。
【請求項６】
前記決定するステップにおいて、前記ゲーム内で消費可能な第１のオブジェクトを前記報酬として決定し、
前記ゲームプログラムは、前記プロセッサに、
前記第１のオブジェクトの消費に基づいて、前記ゲームのプレイにおいて利用可能な第２のオブジェクトのうちの何れかを選択して、前記ユーザに保有されるものとして前記メモリに記憶させるステップをさらに実行させる、請求項１〜５のいずれか一項に記載のゲームプログラム。
【請求項７】
コンピュータがゲームプログラムを実行する方法であって、
前記コンピュータは、プロセッサおよびメモリを備え、
前記プロセッサが請求項１に記載の各ステップを実行する方法。
【請求項８】
情報処理装置であって、
前記情報処理装置は、
請求項１に記載のゲームプログラムを記憶するメモリと、
該ゲームプログラムを実行することにより、情報処理装置の動作を制御するプロセッサとを備えている、情報処理装置。
【手続補正書】
【提出日】令和3年7月27日(2021.7.27)
【手続補正１】
【補正対象書類名】明細書
【補正対象項目名】００２３
【補正方法】変更
【補正の内容】
【００２３】
ステップ３０６では、ユーザによる空調の操作の有無を判定する。ステップ３０６で、ユーザにより空調の操作がない場合は手順をステップ３０８に移行し、ユーザによる空調の操作があった場合は手順をステップ３１０に移行する。
【手続補正２】
【補正対象書類名】図面
【補正対象項目名】図３
【補正方法】変更
【補正の内容】
【図３】
2020142707.tif 000001
【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
自車前方の所定領域で検出された車両に対して、自車との衝突を回避又は緩和する運転支援処理を実施する運転支援装置（１０）であって、
自車に対して対向走行する前記車両を対向車として判定する対向車判定部と、
自車及び前記対向車のうち一方が存在する車線に他方が進入する可能性が高いか否かを判定する進入判定部と、
自車及び前記対向車のうち一方が存在する車線に他方が進入する可能性が低いと判定された場合に、前記運転支援処理の作動を制限し、自車及び前記対向車のうち一方が存在する車線に他方が進入する可能性が高いと判定された場合に、前記運転支援処理の作動を制限しない作動制御部と、
を備える運転支援装置。
【請求項２】
前記対向車判定部は、自車が走行する自車線に隣接する対向車線において、自車と対向走行する車両を前記対向車として判定する請求項１に記載の運転支援装置。
【請求項３】
前記進入判定部は、自車及び前記対向車のうち一方から、自車線と前記対向車線とを区画する区画線までの横方向距離が減少しており、かつ前記横方向距離の減少速度が所定の減少判定値よりも大きい場合に、自車及び前記対向車のうち一方が存在する車線に他方が進入する可能性が高いと判定する請求項２に記載の運転支援装置。
【請求項４】
自車に対する前記対向車の相対速度を算出する相対速度算出部を備え、
前記作動制御部は、自車に対する前記対向車の相対速度が所定の判定値よりも大きく、かつ自車及び前記対向車のうち一方が存在する車線に他方が進入すると判定された場合に、前記運転支援処理の作動を制限しない請求項１〜３のいずれか一項に記載の運転支援装置。
【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
すくい面と、逃げ面と、前記すくい面と前記逃げ面の境界をなす刃先とを有する工具母材にダイヤモンドをコーティングしたダイヤモンドコーティング工具であって、
前記工具母材の前記逃げ面は、前記刃先に連なる第１逃げ面と、前記第１逃げ面よりも前記刃先から離れた位置にあり且つ前記工具母材内部から見て前記第１逃げ面よりも外側に位置する第２逃げ面と、前記第１逃げ面と前記第２逃げ面とを接続する逃げ面側段差部とを備え、
ダイヤモンド被覆層は、前記刃先、前記第１逃げ面および前記逃げ面側段差部に形成される、
ことを特徴とするダイヤモンドコーティング工具。
【請求項２】
前記工具母材の前記すくい面は、前記刃先に連なる第１すくい面と、前記第１すくい面よりも前記刃先から離れた位置にあり且つ前記工具母材内部から見て前記第１すくい面よりも外側に位置する第２すくい面と、前記第１すくい面と前記第２すくい面とを接続するすくい面側段差部とを備え、
前記ダイヤモンド被覆層は、前記第１すくい面および前記すくい面側段差部に形成される、
ことを特徴とする請求項１に記載のダイヤモンドコーティング工具。
【請求項３】
すくい面と、逃げ面と、前記すくい面と前記逃げ面の境界をなす刃先とを有する工具母材にダイヤモンドをコーティングしたダイヤモンドコーティング工具であって、
前記工具母材の前記すくい面は、前記刃先に連なる第１すくい面と、前記第１すくい面よりも前記刃先から離れた位置にあり且つ前記工具母材内部から見て前記第１すくい面よりも外側に位置する第２すくい面と、前記第１すくい面と前記第２すくい面とを接続するすくい面側段差部とを備え、
ダイヤモンド被覆層は、前記第１すくい面および前記すくい面側段差部に形成され、前記ダイヤモンドコーティング工具のすくい面は平坦に構成される、
ことを特徴とするダイヤモンドコーティング工具。
【請求項４】
前記ダイヤモンド被覆層は、前記第２すくい面には形成されない、
ことを特徴とする請求項３に記載のダイヤモンドコーティング工具。
【請求項５】
刃先の角度は９０度以上である、
ことを特徴とする請求項１から４のいずれかに記載のダイヤモンドコーティング工具。